(57)【要約】【課題】天板の横開きの左右、縦開きを選択し、組み立てることができるベッドを提供する。【解決手段】前面板１、左右側面板２，３及び後面板４により構成された台枠５と、この台枠５の上面にリンク機構６を介して起伏自在に設けられた天板７とを備える。リンク機構６は台枠５に連結させる横長な連結部材８と、天板７に連結させる取付け部材９と、連結部材８と取付け部材９を連結するリンク部材１０，１１を備える。前面板１及び後面板４に第１の連結受け部１２ａ，１２ｂ，１２ｅ，１２ｆを介して連結部材８を選択的に連結する。天板７の前辺部側及び後辺部側に取付け部材９を選択的に連結する第２の連結受け部１３ａ，１３ｂ，１３ｅ，１３ｆをそれぞれ設け、取付け部材９を天板７の前辺部側及び後辺部側のいずれかに固定する。天板７を左横開き、右横開きのように予め設けられていた連結受け部１２，１３を利用して簡単に組み立てることができる。【選択図】図１
2007260384.tif 000002
【特許請求の範囲】
【請求項１】
四方に配置された前面板、左右側面板及び後面板により構成された台枠と、この台枠の上面にリンク機構を介して起伏自在に設けられた天板とを備え、前記前面板及び後面板に前記リンク機構を選択的に連結する第１の連結受け部をそれぞれ設けることを特徴とするベッド。
【請求項２】
前記天板の前辺部の右側、前記前辺部の左側、前記天板の左側辺部、前記天板の右側辺部、前記天板の後辺部の左側、前記天板の後辺部の右側に、前記取付け部材を選択的に連結する第２の連結受け部をそれぞれ設けることを特徴とする請求項１記載のベッド。
【請求項３】
前記台枠と前記天板間にガススプリングを介在させ、前記前面板の右側及び左側、前記左側面板、前記右側面板、前記後面板の右側及び左側に、前記ガススプリングの基端を選択的に取付ける第３の連の結受け部をそれぞれ設け、前記取付け部材に前記ガススプリングの先端を連結する第４の連結受け部を設けることを特徴とする請求項１または２記載のベッド。
【請求項４】
四方に配置された前面板、左右側面板及び後面板により構成された台枠と、この台枠の上面にリンク機構を介して起伏自在に設けられた天板とを備え、前記前面板及び前記後面板のそれぞれの一側及び他側に前記リンク機構を選択的に連結する第１の連結受け部をそれぞれ設けることを特徴とするベッド。
【請求項５】
四方に配置された前面板、左右側面板及び後面板により構成された台枠と、この台枠の上面にリンク機構を介して起伏自在に設けられた天板とを備え、前記リンク機構は前記台枠に連結させる連結部材を備え、かつ前記前面板、及び後面板のそれぞれの一側及び他側に前記連結部材を選択的に連結する第１の連結受け部をそれぞれ設けることを特徴とするベッド。
【請求項６】
前記天板の前辺部側及び後辺部側に前記リンク機構を選択的に連結する第２の連結受け部をそれぞれ設けることを特徴とする請求項１記載のベッド。
【請求項７】
前記台枠と前記天板間にガススプリングを介在させ、前記前面板及び前記後面板に、前記ガススプリングの基端を選択的に連結させる第３の連結受け部を設けることを特徴とする請求項４〜６のいずれか１項に記載のベッド。
【請求項８】
前記第１の連結受け部が、前記前面板及び後面板に設けられた雌螺子部材や孔であることを特徴とする請求項４〜７のいずれか１項に記載のベッド。
【発明の詳細な説明】
【技術分野】
【０００１】
本発明は、ベッドの台枠内を収容部として利用するため、天板を開閉可能に構成したベッドに関する。
【背景技術】
【０００２】
ベッドの台枠内に布団や小物類などの物品を収納可能としたベッドとして、例えば、天板の回動中心側の端部に取り付けられる天板側支持体と、ベッド本体の、天板の回動中心側の端部近傍に取り付けられるベッド本体側支持体とを有し、天板側支持体とベッド本体側支持体とにわたって第１のリンク部材をその両端部を回動自在に枢支連結して架設し、第１のリンク部材よりも長さが長い第２のリンク部材の一端部を、天板側支持体の第１のリンク部材の枢支連結箇所よりも天板の回動先端側において回動自在に枢支連結し、第２のリンク部材の他端部をベッド本体側支持体に回動自在に枢支連結された、固定された構造となっており、天板が横開きとなるものが知られている（例えば特許文献１）。また、ベッド台枠の長手方向一端部の両側内面にそれぞれ一端部を枢着して設けられた第１のリンク部材と第２のリンク部材とを有するリンク機構と、第１のリンク部材と第２のリンク部材との他端部が長手方向の一端部の幅方向両側に枢着されることで回動可能に設けられ、ほぼ水平に倒伏した状態でベッド台枠の上面開口を閉塞する天板と、天板の長手方向一端部とベッドの台枠の長手方向一端部に一端と他端とをそれぞれ回動可能に連結された、固定された構造となっており、天板が縦開きとなるものも知られている（例えば特許文献２）。
【０００３】
また、方形枠状のベッドフレームと、マットレスを乗載できるようにした床板を方形枠状の支持体上にリンク機構によって一側において開閉自在にして支持してなるとともに、その開閉する側を上記ベッドフレームのいずれのサイドボードの側に向けた状態でも該ベッドフレーム内に取り外し自在に嵌合配置できる開閉床板体とからなり、設置場所等に応じ床板を左右のいずれの側に開くようにもすることができるようにしたベッドが知られている（例えば特許文献３）。
【特許文献１】特開平１１−２７６３０４号公報
【特許文献２】特開２００４−２２９８９７号公報
【特許文献３】特開２００５−１９８８３９号公報
【発明の開示】
【発明が解決しようとする課題】
【０００４】
このように、従来では天板の開き方が、横開きか縦開きかの一方向に限定されてしまっていた。そのため、例えば、使用者が壁に近づけてベッドを設置する際には、天板の開き方の方向が限定されているため、ベッドの設置の仕方も限定されてしまうという不都合があった。
【０００５】
さらに、左右のいずれの側に開くようにした従来のベッドでは、床板のみならず床板と一体な支持体を移動して左右のいずれの側に開くように切り替えるものであり、切換え作業が大がかりになってしまう。
【０００６】
本発明は以上の事情に鑑みてなされたものであり、天板の横開きの左右開きを選択し、簡単に組み立てることができるベッドを提供することを目的とする。
【課題を解決するための手段】
【０００７】
本発明の請求項１の発明は、四方に配置された前面板、左右側面板及び後面板により構成された台枠と、この台枠の上面にリンク機構を介して起伏自在に設けられた天板とを備え、前記前面板及び後面板に前記リンク機構を選択的に連結する第１の連結受け部をそれぞれ設けることを特徴とするベッドである。
【０００８】
本発明の請求項２の発明は、前記天板の前辺部の右側、前記前辺部の左側、前記天板の左側辺部、前記天板の右側辺部、前記天板の後辺部の左側、前記天板の後辺部の右側に、前記取付け部材を選択的に連結する第２の連結受け部をそれぞれ設けることを特徴とする請求項１記載のベッドである。
【０００９】
本発明の請求項３の発明は、前記台枠と前記天板間にガススプリングを介在させ、前記前面板の右側及び左側、前記左側面板、前記右側面板、前記後面板の右側及び左側に、前記ガススプリングの基端を選択的に取付ける第３の連の結受け部をそれぞれ設け、前記取付け部材に前記ガススプリングの先端を連結する第４の連結受け部を設けることを特徴とする請求項１または２記載のベッドである。
【００１０】
本発明の請求項４の発明は、四方に配置された前面板、左右側面板及び後面板により構成された台枠と、この台枠の上面にリンク機構を介して起伏自在に設けられた天板とを備え、前記前面板及び前記後面板のそれぞれの一側及び他側に前記リンク機構を選択的に連結する第１の連結受け部をそれぞれ設けることを特徴とするベッドである。
【００１１】
本発明の請求項５の発明は、四方に配置された前面板、左右側面板及び後面板により構成された台枠と、この台枠の上面にリンク機構を介して起伏自在に設けられた天板とを備え、前記リンク機構は前記台枠に連結させる連結部材を備え、かつ前記前面板、及び後面板のそれぞれの一側及び他側に前記連結部材を選択的に連結する第１の連結受け部をそれぞれ設けることを特徴とするベッドである。
【００１２】
本発明の請求項６の発明は、前記天板の前辺部側、左右側辺部側及び後辺部側に前記取付け部材を選択的に連結する第２の連結受け部をそれぞれ設けることを特徴とする請求項１記載のベッドである。
【００１３】
本発明の請求項７の発明は、前記台枠と前記天板間にガススプリングを介在させ、前記前面板及び前記後面板に、前記ガススプリングの基端を選択的に連結させる第３の連結受け部を設けることを特徴とする請求項４〜６のいずれか１項に記載のベッドである。
【００１４】
本発明の請求項８の発明は、前記第１の連結受け部が、前記前面板及び後面板に設けられた雌螺子部材や孔であることを特徴とする請求項４〜７のいずれか１項に記載のベッドである。
【発明の効果】
【００１５】
本発明の請求項１では、天板を横開きとしたい場合は、ベッド台枠の前面板と後面板に設けられた第１の連結受け部にリンク機構を連結することにより、横開きとすることができる。また、天板を縦開きとしたい場合は、ベッド台枠の左右側面板に設けられた第１の連結受け部にリンク機構の連結部材を連結することにより、縦開きとすることができる。
【００１６】
また、請求項２においては、天板を横開きとしたい場合は、天板の前辺部側と後辺部側に設けられた第２の連結受け部にリンク機構の取付け部材を連結することにより、横開きとすることができる。また、天板を縦開きとしたい場合は、天板の左右側辺部側に設けられた第２の連結受け部にリンク機構の取付け部材を連結することにより、縦開きとすることができる。
【００１７】
さらに、請求項３においては、ガススプリングの基端を連結させる留め具は、前記前面板、左右側面板及び後面板に設けられた第３の連結受け部に選択的に取付けることができ、ガススプリングの先端は、前記リンク機構の取付け部材に設けられた第４の連結受け部に連結することができる。
【００１８】
このように、リンク機構を選択的に連結することができる第１の連結受け部と第２の連結受け部、また、ガススプリングの基端を連結する留め具を選択的に取付けることができる第３の連結受け部を設けることにより、天板の横開きの左右、縦開きを選択することができる。
【００１９】
また、請求項４においては、天板を横開きとしたい場合は、ベッド台枠の前面板と後面板に設けられた第１の連結受け部にリンク機構を連結することにより、横開きとすることができる。
【００２０】
さらに、請求項５においては、天板を横開きとしたい場合は、天板の前辺部側と後辺部側に設けられた第２の連結受け部にリンク機構の取付け部材を連結することにより、横開きとすることができる。
【００２１】
また、請求項６においては、天板を横開きとしたい場合は、天板の前辺部側と後辺部側に設けられた第２の連結受け部にリンク機構を連結することにより、横開きとすることができる。
【００２２】
さらに、請求項７においては、ガススプリングの基端を前記前面板及び後面板に設けられた第３の連結受け部に選択的に取付けることができる。
【００２３】
また、請求項８においては、雌螺子部材や孔を利用して第１の連結受け部にリンク機構を簡単に取付することができる。
【発明を実施するための最良の形態】
【００２４】
本発明における好適な実施の形態について、添付図面を参して説明する。尚、以下に説明する実施の形態は、特許請求の範囲に記載された本発明の内容を限定するものではない。また、以下に説明される構成の全てが、本発明の必須要件であるとは限らない。
【実施例１】
【００２５】
以下、図を参照しながら、本発明のベッドの一実施例を詳細に説明する。ベッドは、四方に配置された前面板１、左右側面板２、３及び後面板４により構成された台枠５と、この台枠５の上面にリンク機構６を介して起伏自在に設けられた天板７とを備えている。前記リンク機構６は台枠５に連結させる横長な連結部材８と、人体が直接的に支持される床板などとも称せられる天板７に連結させる横長な取付け部材９と、連結部材８の長手方向一側と取付け部材９の長手方向一側とを連結する第１のリンク部材１０と、連結部材８の長手方向他側と前記取付け部材９の長手方向他側とを連結させる第２のリンク部材１１を備えている。そして、連結部材８と取付け部材９と第１のリンク部材１０と第２のリンク部材１１を軸１０ａによって回動自在に連結して、天板７を起伏自在に設ける四辺形のリンク機構を形成している。
【００２６】
そして、前記前面板１、左右側面板２、３及び後面板４には、連結部材８を選択的に連結することができる第１の連結受け部１２を予め設けている。この第１の連結受け部１２は、連結部材８を前面板１、左右側面板２、３及び後面板４に選択的に固定するボルトや各種ストッパーなどの第１の固定具８ａを固定のために受け入れる雌螺子部材や孔によって形成され、内側に開口している。尚、第１の固定具８ａは連結部材８における長さ方向の両側に貫通して配置されるようになっている。
【００２７】
さらに、前記天板７の前辺部側、左右側辺部側及び後辺部側には、前記取付け部材９を選択的に連結することができる第２の連結受け部１３を予め設けている。この第２の連結受け部１３は、取付け部材９を天板７の前辺部側、左右側辺部側及び後辺部側に選択的に固定するボルトや各種ストッパーなどの第２の固定具９ａを固定のために受け入れる雌螺子部材や孔によって形成されるものであり、天板７の下面に開口して設けられている。尚、第２の固定具９ａは取付け部材９における長さ方向の中央及び両側に貫通して配置されるようになっている。
【００２８】
そして、台枠５と天板７間にガスシリンダー等とも称せられるガススプリング１４を介在させる。これはガス（図示せず）を封入したシリンダ１４ａと、このシリンダ１４ａにガス圧を受けた状態で摺動自在に設けられるロッド１４ｂからなる。そして前面板１、左右側面板２、３及び後面板４に、ガススプリング１４の基端１５を選択的に着脱可能に連結することができる回動連結用の金具である留め具１６を取付ける第３の連結受け部１７を予め設ける。留め具１６にはガススプリング１４の基端１５を回動自在に連結する軸１６ｂが内側に横方向に向けて突設している。この軸１６ｂは留め具１６の上下方向に複数形成した貫通孔によって形成された取り付け部１６ｃのうちの一つに選択的に取り付けられるようになっている。これはガススプリング１４の取付位置に対応するためである。
【００２９】
第３の連結受け部１７は、留め具１６を前面板１、左右側面板２、３及び後面板４に選択的に固定するボルトや各種ストッパーなどの第３の固定具１６ａを固定のために受け入れる雌螺子部材や孔によって形成されるものであり、内側に開口して設けられている。また取付け部材９の長手方向の突出した先端側にガススプリング１４の先端１８が着脱可能に連結することができる第４の連結受け部１９を設けている。尚、第３の固定具１６ａは留め具１６の四方に貫通して配置されるようになっている。
【００３０】
さらに、前面板１の前面にはヘッドボード２０を設けており、後面板４の後面には、フットボード２１を設けている。前面板１、左右側面板２，３、後面板４は取付け金具２２により連結されてベッドの台枠５を構成する。左右側面板２，３の中ほどには中仕切り板２３が設けられている。また前記リンク機構６を形成する連結部材８、第１のリンク部材１０、第２のリンク部材１１はその内側に金具カバー２４が配置されて覆われるようになっている。また、天板７の上にはマットレス２５を設ける。さらに、図中２６はそれぞれに設けられる連結用のピンであり、２７は底板である。
【００３１】
さらに詳述すると、前面板１は長方形の形状をしており、左側面板２、右側面板３は前面板１より長い長方形の形状をしており、前面板１側に固定する。後面板４は前面板１と同様の長方形の形状をしており、左側面板２、右側面板３の後部が固定する。
【００３２】
そして、前面板１の長手方向の一側（右側）に前面板一側用の第１の連結受け部１２ａ、前面板１の長手方向の他側（左側）に前面板他側用の第１の連結受け部１２ｂ、左側面板２の長手方向の一側（後側）に左側面板一側用の第１の連結受け部１２ｃ、右側面板３の長手方向の他側（後側）に右側面板一側用の第１の連結受け部１２ｄ、後面板４の長手方向の一側（右側）に後面板一側用の第１の連結受け部１２ｅ、さらに後面板４の長手方向の他側（左側）に後面板他側用の第１の連結受け部１２ｆが設けられている。
【００３３】
天板７は、台枠５に蓋をするように覆うように設けられ、長方形の形状をしている。そして、天板７の前辺部側の長手方向の一側（右側）に前辺部一側用の第２の連結受け部１３ａ、天板７の前辺部側の長手方向の他側（左側）に前辺部他側用の第２の連結受け部１３ｂ、天板７の左側辺部に左側辺部用の第２の連結受け部１３ｃ、天板７の右側辺部に右側辺部用の第２の連結受け部１３ｄ、天板７の後辺部の長手方向の一側（右側）に後辺部一側用の第２の連結受け部１３ｅ、さらに天板７の後辺部の長手方向の他側（左側）に後辺部他側用の第２の連結受け部１３ｆが設けられている。
【００３４】
さらに、第３の連結受け部１７は、第１の連結受け部１２に対応して第２のリンク部材１１側で該第１の連結受け部１２の近傍にそれぞれ設けられるものであり、前面板１の長手方向の一側（右側）に前面板一側用の第３の連結受け部１７ａ、前面板１の長手方向の他側（左側）に前面板他側用の第３の連結受け部１７ｂ、左側面板２の長手方向の一側（後側）に左側面板一側用の第３の連結受け部１７ｃ、右側面板３の長手方向の他側（後側）に右側面板一側用の第３の連結受け部１７ｄ、後面板４の長手方向の一側（右側）に後面板一側用の第３の連結受け部１７ｅ、さらに後面板４の長手方向の他側（左側）に後面板他側用の第３の連結受け部１７ｆが設けられている。
【００３５】
次に、本発明のベッドの組み立て方を説明する。はじめに、図６に示すように右側面板３側をヒンジ側として天板７を起こして開く左横開きのベッドの組み立て方を説明する。この場合は前後に一対設けられるリンク機構６のうちの前記リンク機構６の連結部材８を前面板一側用の第１の連結受け部１２ａに第１の固定具８ａを介して固定する。また留め具１６を前面板一側用の第３の連結受け部１７ａに第３の固定具１６ａを介して固定する。さらに、取付け部材９を前辺部一側用の第２の連結受け部１３ａに第２の固定具９ａを介して固定する。そして、留め具１６と第４の連結受け部１９との間にガススプリング１４を介在するものである。
【００３６】
同様に、前後に一対設けられるリンク機構６のうちの後側のリンク機構６の連結部材８を後面板一側用の第１の連結受け部１２ｅに第１の固定具８ａを介して固定する。また留め具１６を後面板一側用の第３の連結受け部１７ｅに第３の固定具１６ａを介して固定する。さらに、取付け部材９を後辺部一側用の第２の連結受け部１３ｅに第２の固定具９ａを介して固定する。そして、留め具１６と第４の連結受け部１９との間にガススプリング１４を介在するものである。
【００３７】
したがって、天板７は前後に配置されたリンク機構６に支持されて起伏自在に設けられる。さらに、天板７はガススプリング１４が伸張時には天板７が起きるように付勢して天板７を開いた状態で支持し、一方天板７はガススプリング１４が縮小時には天板７が伏すように付勢して天板７を閉じた状態を保持する。これは天板７に対する角度が小さくなっており、ガススプリング１４の付勢力が天板７に強く作用せず、それによって天板７は倒伏状態で保持される。
【００３８】
次に図７に示すように左側面板２側をヒンジ側として天板７を起こして開く右横開きのベッドの組み立て方を説明する。この場合は前後に一対設けられるリンク機構６のうちの前記リンク機構６の連結部材８を前面板他側用の第１の連結受け部１２ｂに第１の固定具８ａを介して固定する。また留め具１６を前面板他側用の第３の連結受け部１７ｂに第３の固定具１６ａを介して固定する。さらに、取付け部材９を前辺部他側用の第２の連結受け部１３ｂに第２の固定具９ａを介して固定する。そして、留め具１６と第４の連結受け部１９との間にガススプリング１４を介在するものである。
【００３９】
同様に、前後に一対設けられるリンク機構６のうちの後側のリンク機構６の連結部材８を後面板他側用の第１の連結受け部１２ｆに第１の固定具８ａを介して固定する。また留め具１６を後面板他側用の第３の連結受け部１７ｆに第３の固定具１６ａを介して固定する。さらに、取付け部材９を後辺部他側用の第２の連結受け部１３ｆに第２の固定具９ａを介して固定する。そして、留め具１６と第４の連結受け部１９との間にガススプリング１４を介在するものである。したがって、天板７は前後に配置されたリンク機構６に支持されて起伏自在に設けられる。
【００４０】
一方、図８に示すように前面板１側をヒンジ側として天板７を起こして開く縦開きのベッドの組み立て方を説明する。この場合は左右に一対設けられるリンク機構６のうちの左側リンク機構６の連結部材８を左側面板一側用の第１の連結受け部１２ｃに第１の固定具８ａを介して固定する。また留め具１６を左側面板一側用の第３の連結受け部１７ｃに第３の固定具１６ａを介して固定する。さらに、取付け部材９を左側辺部用の第２の連結受け部１３ｃに第２の固定具９ａを介して固定する。そして留め具１６と第４の連結受け部１９との間にガススプリング１４を介在するものである。
【００４１】
同様に、左右に一対設けられるリンク機構６のうちの右側のリンク機構６の連結部材８を右側面板一側用の第１の連結受け部１２ｄに第１の固定具８ａを介して固定する。また留め具１６を右側面板一側用の第３の連結受け部１７ｄに第３の固定具１６ａを介して固定する。さらに、取付け部材９を右側辺部用の第２の連結受け部１３ｄに第２の固定具９ａを介して固定する。そして、留め具１６と第４の連結受け部１９との間にガススプリング１４を介在するものである。したがって、天板７は左右に配置されたリンク機構６に支持されて起伏自在に設けられる。さらに、天板７はガススプリング１４が伸張時には天板７が起きるように付勢して天板７を開いた状態で支持し、一方天板７はガススプリング１４が縮小時には天板７が伏すように付勢して天板７を閉じた状態を保持する。
【００４２】
以上のように、前記実施例においては四方に配置された前面板１、左右側面板２，３及び後面板４により構成された台枠５と、この台枠５の上面にリンク機構６を介して起伏自在に設けられた天板７とを備え、前記リンク機構６は台枠５に連結させる連結部材８と、前記天板７に連結させる取付け部材９と、前記連結部材８の長手方向一側と前記取付け部材９の長手方向一側とを連結する第１のリンク部材１０と、前記連結部材８の長手方向他側と前記取付け部材９の長手方向他側とを連結する第２のリンク部材１１を備え、かつ前記前面板１、左右側面板２，３及び後面板４に前記連結部材８を選択的に連結する第１の連結受け部１２をそれぞれ設け、第１の連結受け部１２を前面板１、左右側面板２，３及び後面板４のいずれかに固定することで、天板７を左横開き、右横開きさらには縦開きのように予め設けられていた連結受け部１２を利用して簡単に組み立てることができる。
【００４３】
さらに、前記実施例では、前記天板７の前辺部側、左右側辺部側及び後辺部側に前記取付け部材９を選択的に連結する第２の連結受け部１３をそれぞれ設け、取付け部材９を天板７の前辺部側、左右側辺部側及び後辺部側のいずれかに固定することで、天板７を左横開き、右横開きさらには縦開きのように予め設けられていた連結受け部１３を利用して簡単に組み立てることができる。
【００４４】
また、前記台枠５と前記天板７間にガススプリング１４を介在させ、前記前面板１、左右側面板２，３及び後面板４に、前記ガススプリング１４の基端を連結させる留め具１６を選択的に取付ける第３の連結受け部１６をそれぞれ設け、取付け部材９を天板７の前辺部側、左右側辺部側及び後辺部側のいずれかに固定することで、天板７を左横開き、右横開きさらには縦開きのように予め設けられていた連結受け部１６を利用してガススプリング１４を簡単に組み立てることができる。
【産業上の利用可能性】
【００４５】
以上のように本発明に係るベッドは、各種の用途に適用できる。例えば、図１の左横開きか図２に示すように右横開きのみができるようにしてもよい。さらに後面板側をヒンジ側として天板を起こして開く縦開きのベッドの組み立てができるように、第１〜３の連結受け部を予め設けておいてもよい。
【図面の簡単な説明】
【００４６】
【図１】本発明に係わるベッドの一例の左横開きとした場合の分解斜視図である。
【図２】同右横開きとした場合の分解斜視図である。
【図３】同縦開きとした場合の分解斜視図である。
【図４】同リンク機構まわりを示す分解斜視図である。
【図５】同留め具の分解斜視図である。
【図６】同左横開き状態の斜視図である。
【図７】同右横開き状態の斜視図である。
【図８】同縦開き状態の斜視図である。
【符号の説明】
【００４７】
１  前面板
２，３  左右側面板
４  後面板
５  台枠
６  リンク機構
７  天板
８  連結部材
９  取付け部材
１０  第１のリンク部材
１１  第２のリンク部材
１２  第１の連結受け部
１３  第２の連結受け部
１４  ガススプリング
１６  留め具
１９  第３の連結受け部
【図１】
2007260384.tif 000003
【図２】
2007260384.tif 000004
【図３】
2007260384.tif 000005
【図４】
2007260384.tif 000006
【図５】
2007260384.tif 000007
【図６】
2007260384.tif 000008
【図７】
2007260384.tif 000009
【図８】
2007260384.tif 000010
【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
四方に配置された前面板、左右側面板及び後面板により構成された台枠と、この台枠の上面にリンク機構を介して起伏自在に設けられた天板とを備え、前記前面板及び後面板に前記リンク機構を選択的に連結する第１の連結受け部をそれぞれ設けることを特徴とするベッド。
【請求項２】
前記台枠と前記天板間に、ロッドを摺動自在に設けたシリンダを介在させたことを特徴とする請求項１記載のベッド。
【請求項３】
四方に配置された前面板、左右側面板及び後面板により構成された台枠と、この台枠に前後に配置されたリンク機構を介して起伏自在に設けられた天板とを備え、
前記前面板の長手方向の一側に前面板一側用の第１の連結受け部を設け、
前記前面板の長手方向の他側に前面板他側用の第１の連結受け部を設け、
前記後面板の長手方向の一側に後面板一側用の第１の連結受け部を設け、
前記後面板の長手方向の他側に後面板他側用の第１の連結受け部を設け、
前側の前記リンク機構の前記台枠に連結させる側を前記前面板一側用の第１の連結受け部に連結すると共に、後側の前記リンク機構の前記台枠に連結させる側を前記後面板一側用の第１の連結受け部に連結するか、
前側の前記リンク機構の前記台枠に連結させる側を前記前面板他側用の第１の連結受け部に連結すると共に、後側の前記リンク機構の前記台枠に連結させる側を前記後面板他側用の第１の連結受け部に選択的に連結することで前記天板を他側開きか一側開きに選択的に設けたことを特徴とするベッド。
【請求項４】
前側の前記リンク機構の前記天板側に連結する側を前記天板の前辺部側の長手方向の一側に連結すると共に、後側の前記リンク機構の前記天板側に連結する側を前記天板の後辺部の長手方向の一側に連結するか、
前側の前記リンク機構の前記天板側に連結する側を前記天板の前辺部側の長手方向の他側に連結すると共に、後側の前記リンク機構の前記天板側に連結する側を前記天板の後辺部の長手方向の他側に選択的に連結することで前記天板を他側開きか一側開きに選択的に設けたことを特徴とする請求項３記載のベッド。
【請求項５】
前記台枠と前記天板間に、ロッドを摺動自在に設けたシリンダを前後に一対介在させ、
前側の前記シリンダを前記前面板と前記天板の前辺部との間に介在し、
後側の前記シリンダを前記後面板と前記天板の前辺部との間に介在し、
前記一対のシリンダが伸張時には前記天板を開いた状態で支持し、前記シリンダが縮小時には前記天板が伏すように付勢することを特徴とする請求項３又は４記載のベッド。
【請求項６】
前記前側の前記シリンダの前記前面板との連結は、前記前面板の長手方向の一側又は他側に選択的に設けられ、前記後側の前記シリンダの前記後面板との連結は、前記後面板の長手方向の一側又は他側に選択的に設けられたことを特徴とする請求項５記載のベッド。
【請求項７】
前記シリンダがガススプリングであることを特徴とする請求項５又は６記載のベッド。
【請求項８】
前記リンク機構は台枠側に連結させる連結部材と、前記天板に連結させる取付け部材と、前記連結部材の長手方向一側と前記取付け部材の長手方向一側とを連結する第１のリンク部材と、前記連結部材の長手方向他側と前記取付け部材の長手方向他側とを連結させる第２のリンク部材を備えていることを特徴とする請求項２〜７のいずれか１項に記載のベッド。
【手続補正２】
【補正対象書類名】明細書
【補正対象項目名】全文
【補正方法】変更
【補正の内容】
【発明の詳細な説明】
【技術分野】
【０００１】
本発明は、ベッドの台枠内を収容部として利用するため、天板を開閉可能に構成したベッドに関する。
【背景技術】
【０００２】
ベッドの台枠内に布団や小物類などの物品を収納可能としたベッドとして、例えば、天板の回動中心側の端部に取り付けられる天板側支持体と、ベッド本体の、天板の回動中心側の端部近傍に取り付けられるベッド本体側支持体とを有し、天板側支持体とベッド本体側支持体とにわたって第１のリンク部材をその両端部を回動自在に枢支連結して架設し、第１のリンク部材よりも長さが長い第２のリンク部材の一端部を、天板側支持体の第１のリンク部材の枢支連結箇所よりも天板の回動先端側において回動自在に枢支連結し、第２のリンク部材の他端部をベッド本体側支持体に回動自在に枢支連結された、固定された構造となっており、天板が横開きとなるものが知られている（例えば特許文献１）。また、ベッド台枠の長手方向一端部の両側内面にそれぞれ一端部を枢着して設けられた第１のリンク部材と第２のリンク部材とを有するリンク機構と、第１のリンク部材と第２のリンク部材との他端部が長手方向の一端部の幅方向両側に枢着されることで回動可能に設けられ、ほぼ水平に倒伏した状態でベッド台枠の上面開口を閉塞する天板と、天板の長手方向一端部とベッドの台枠の長手方向一端部に一端と他端とをそれぞれ回動可能に連結された、固定された構造となっており、天板が縦開きとなるものも知られている（例えば特許文献２）。
【０００３】
また、方形枠状のベッドフレームと、マットレスを乗載できるようにした床板を方形枠状の支持体上にリンク機構によって一側において開閉自在にして支持してなるとともに、その開閉する側を上記ベッドフレームのいずれのサイドボードの側に向けた状態でも該ベッドフレーム内に取り外し自在に嵌合配置できる開閉床板体とからなり、設置場所等に応じ床板を左右のいずれの側に開くようにもすることができるようにしたベッドが知られている（例えば特許文献３）。
【特許文献１】特開平１１−２７６３０４号公報
【特許文献２】特開２００４−２２９８９７号公報
【特許文献３】特開２００５−１９８８３９号公報
【発明の開示】
【発明が解決しようとする課題】
【０００４】
このように、従来では天板の開き方が、横開きか縦開きかの一方向に限定されてしまっていた。そのため、例えば、使用者が壁に近づけてベッドを設置する際には、天板の開き方の方向が限定されているため、ベッドの設置の仕方も限定されてしまうという不都合があった。
【０００５】
さらに、左右のいずれの側に開くようにした従来のベッドでは、床板のみならず床板と一体な支持体を移動して左右のいずれの側に開くように切り替えるものであり、切換え作業が大がかりになってしまう。
【０００６】
本発明は以上の事情に鑑みてなされたものであり、天板の横開きの左右開きを選択し、簡単に組み立てることができるベッドを提供することを目的とする。
【課題を解決するための手段】
【０００７】
本発明の請求項１の発明は、四方に配置された前面板、左右側面板及び後面板により構成された台枠と、この台枠の上面にリンク機構を介して起伏自在に設けられた天板とを備え、前記前面板及び後面板に前記リンク機構を選択的に連結する第１の連結受け部をそれぞれ設けることを特徴とするベッドである。
【０００８】
本発明の請求項２の発明は、前記台枠と前記天板間に、ロッドを摺動自在に設けたシリンダを介在させたことを特徴とする請求項１起債のベッである。
【０００９】
本発明の請求項３の発明は、四方に配置された前面板、左右側面板及び後面板により構成された台枠と、この台枠に前後に配置されたリンク機構を介して起伏自在に設けられた天板とを備え、
前記前面板の長手方向の一側に前面板一側用の第１の連結受け部を設け、
前記前面板の長手方向の他側に前面板他側用の第１の連結受け部を設け、
前記後面板の長手方向の一側に後面板一側用の第１の連結受け部を設け、
前記後面板の長手方向の他側に後面板他側用の第１の連結受け部を設け、
前側の前記リンク機構の前記台枠に連結させる側を前記前面板一側用の第１の連結受け部に連結すると共に、後側の前記リンク機構の前記台枠に連結させる側を前記後面板一側用の第１の連結受け部に連結するか、
前側の前記リンク機構の前記台枠に連結させる側を前記前面板他側用の第１の連結受け部に連結すると共に、後側の前記リンク機構の前記台枠に連結させる側を前記後面板他側用の第１の連結受け部に選択的に連結することで前記天板を他側開きか一側開きに選択的に設けたことを特徴とするベッドである。
【００１０】
本発明の請求項４の発明は、前側の前記リンク機構の前記天板側に連結する側を前記天板の前辺部側の長手方向の一側に連結すると共に、後側の前記リンク機構の前記天板側に連結する側を前記天板の後辺部の長手方向の一側に連結するか、
前側の前記リンク機構の前記天板側に連結する側を前記天板の前辺部側の長手方向の他側に連結すると共に、後側の前記リンク機構の前記天板側に連結する側を前記天板の後辺部の長手方向の他側に選択的に連結することで前記天板を他側開きか一側開きに選択的に設けたことを特徴とする請求項３記載のベッドである。
【００１１】
本発明の請求項５の発明は、前記台枠と前記天板間に、ロッドを摺動自在に設けたシリンダを前後に一対介在させ、
前側の前記シリンダを前記前面板と前記天板の前辺部との間に介在し、
後側の前記シリンダを前記後面板と前記天板の前辺部との間に介在し、
前記一対のシリンダが伸張時には前記天板を開いた状態で支持し、前記シリンダが縮小時には前記天板が伏すように付勢することを特徴とする請求項３又は４記載のベッドである。
【００１２】
本発明の請求項６の発明は、前記前側の前記シリンダの前記前面板との連結は、前記前面板の長手方向の一側又は他側に選択的に設けられ、前記後側の前記シリンダの前記後面板との連結は、前記後面板の長手方向の一側又は他側に選択的に設けられたことを特徴とする請求項５記載のベッドである。
【００１３】
本発明の請求項７の発明は、前記シリンダがガススプリングであることを特徴とする請求項５又は６記載のベッドである。
【００１４】
本発明の請求項８の発明は、前記リンク機構は台枠側に連結させる連結部材と、前記天板に連結させる取付け部材と、前記連結部材の長手方向一側と前記取付け部材の長手方向一側とを連結する第１のリンク部材と、前記連結部材の長手方向他側と前記取付け部材の長手方向他側とを連結させる第２のリンク部材を備えていることを特徴とする請求項２〜７のいずれか１項に記載のベッドである。
【発明の効果】
【００１５】
本発明の請求項１では、天板を横開きとしたい場合は、ベッド台枠の前面板と後面板に設けられた第１の連結受け部にリンク機構を連結することにより、横開きとすることができる。また、天板を縦開きとしたい場合は、ベッド台枠の左右側面板に設けられた第１の連結受け部にリンク機構の連結部材を連結することにより、縦開きとすることができる。
【００１６】
また、請求項２においては、シリンダにより天板を支持することができる。
【００１７】
さらに、請求項３においては、前側の前記リンク機構の前記台枠に連結させる側を前記前面板一側用の第１の連結受け部に連結すると共に、後側の前記リンク機構の前記台枠に連結させる側を前記後面板一側用の第１の連結受け部に連結するか、前側の前記リンク機構の前記台枠に連結させる側を前記前面板他側用の第１の連結受け部に連結すると共に、後側の前記リンク機構の前記台枠に連結させる側を前記後面板他側用の第１の連結受け部に選択的に連結することで前記天板を他側開きか一側開きに簡単に選択的に設けることができる。
【００１８】
また、請求項４においては、前記天板を他側開きか一側開きに簡単に選択的に設けることができる。
【００１９】
さらに、請求項５においては、シリンダにより天板を開いた状態、伏した状態に選択的に支持することができる。
【００２０】
また、請求項６においては、天板を開いた状態、伏した状態に確実に支持することができる。
【００２１】
さらに、請求項７においては、ガススプリングのガス圧によって確実に支持することができる。
【００２２】
また、請求項８においては、第１，２のリンク部材により、確実に天板を起伏することができる。
【発明を実施するための最良の形態】
【００２３】
本発明における好適な実施の形態について、添付図面を参して説明する。尚、以下に説明する実施の形態は、特許請求の範囲に記載された本発明の内容を限定するものではない。また、以下に説明される構成の全てが、本発明の必須要件であるとは限らない。
【実施例１】
【００２４】
以下、図を参照しながら、本発明のベッドの一実施例を詳細に説明する。ベッドは、四方に配置された前面板１、左右側面板２、３及び後面板４により構成された台枠５と、この台枠５の上面にリンク機構６を介して起伏自在に設けられた天板７とを備えている。前記リンク機構６は台枠５に連結させる横長な連結部材８と、人体が直接的に支持される床板などとも称せられる天板７に連結させる横長な取付け部材９と、連結部材８の長手方向一側と取付け部材９の長手方向一側とを連結する第１のリンク部材１０と、連結部材８の長手方向他側と前記取付け部材９の長手方向他側とを連結させる第２のリンク部材１１を備えている。そして、連結部材８と取付け部材９と第１のリンク部材１０と第２のリンク部材１１を軸１０ａによって回動自在に連結して、天板７を起伏自在に設ける四辺形のリンク機構を形成している。
【００２５】
そして、前記前面板１、左右側面板２、３及び後面板４には、連結部材８を選択的に連結することができる第１の連結受け部１２を予め設けている。この第１の連結受け部１２は、連結部材８を前面板１、左右側面板２、３及び後面板４に選択的に固定するボルトや各種ストッパーなどの第１の固定具８ａを固定のために受け入れる雌螺子部材や孔によって形成され、内側に開口している。尚、第１の固定具８ａは連結部材８における長さ方向の両側に貫通して配置されるようになっている。
【００２６】
さらに、前記天板７の前辺部側、左右側辺部側及び後辺部側には、前記取付け部材９を選択的に連結することができる第２の連結受け部１３を予め設けている。この第２の連結受け部１３は、取付け部材９を天板７の前辺部側、左右側辺部側及び後辺部側に選択的に固定するボルトや各種ストッパーなどの第２の固定具９ａを固定のために受け入れる雌螺子部材や孔によって形成されるものであり、天板７の下面に開口して設けられている。尚、第２の固定具９ａは取付け部材９における長さ方向の中央及び両側に貫通して配置されるようになっている。
【００２７】
そして、台枠５と天板７間にガスシリンダー等とも称せられるガススプリング１４を介在させる。これはガス（図示せず）を封入したシリンダ１４ａと、このシリンダ１４ａにガス圧を受けた状態で摺動自在に設けられるロッド１４ｂからなる。そして前面板１、左右側面板２、３及び後面板４に、ガススプリング１４の基端１５を選択的に着脱可能に連結することができる回動連結用の金具である留め具１６を取付ける第３の連結受け部１７を予め設ける。留め具１６にはガススプリング１４の基端１５を回動自在に連結する軸１６ｂが内側に横方向に向けて突設している。この軸１６ｂは留め具１６の上下方向に複数形成した貫通孔によって形成された取り付け部１６ｃのうちの一つに選択的に取り付けられるようになっている。これはガススプリング１４の取付位置に対応するためである。
【００２８】
第３の連結受け部１７は、留め具１６を前面板１、左右側面板２、３及び後面板４に選択的に固定するボルトや各種ストッパーなどの第３の固定具１６ａを固定のために受け入れる雌螺子部材や孔によって形成されるものであり、内側に開口して設けられている。また取付け部材９の長手方向の突出した先端側にガススプリング１４の先端１８が着脱可能に連結することができる第４の連結受け部１９を設けている。尚、第３の固定具１６ａは留め具１６の四方に貫通して配置されるようになっている。
【００２９】
さらに、前面板１の前面にはヘッドボード２０を設けており、後面板４の後面には、フットボード２１を設けている。前面板１、左右側面板２，３、後面板４は取付け金具２２により連結されてベッドの台枠５を構成する。左右側面板２，３の中ほどには中仕切り板２３が設けられている。また前記リンク機構６を形成する連結部材８、第１のリンク部材１０、第２のリンク部材１１はその内側に金具カバー２４が配置されて覆われるようになっている。また、天板７の上にはマットレス２５を設ける。さらに、図中２６はそれぞれに設けられる連結用のピンであり、２７は底板である。
【００３０】
さらに詳述すると、前面板１は長方形の形状をしており、左側面板２、右側面板３は前面板１より長い長方形の形状をしており、前面板１側に固定する。後面板４は前面板１と同様の長方形の形状をしており、左側面板２、右側面板３の後部が固定する。
【００３１】
そして、前面板１の長手方向の一側（右側）に前面板一側用の第１の連結受け部１２ａ、前面板１の長手方向の他側（左側）に前面板他側用の第１の連結受け部１２ｂ、左側面板２の長手方向の一側（後側）に左側面板一側用の第１の連結受け部１２ｃ、右側面板３の長手方向の他側（後側）に右側面板一側用の第１の連結受け部１２ｄ、後面板４の長手方向の一側（右側）に後面板一側用の第１の連結受け部１２ｅ、さらに後面板４の長手方向の他側（左側）に後面板他側用の第１の連結受け部１２ｆが設けられている。
【００３２】
天板７は、台枠５に蓋をするように覆うように設けられ、長方形の形状をしている。そして、天板７の前辺部側の長手方向の一側（右側）に前辺部一側用の第２の連結受け部１３ａ、天板７の前辺部側の長手方向の他側（左側）に前辺部他側用の第２の連結受け部１３ｂ、天板７の左側辺部に左側辺部用の第２の連結受け部１３ｃ、天板７の右側辺部に右側辺部用の第２の連結受け部１３ｄ、天板７の後辺部の長手方向の一側（右側）に後辺部一側用の第２の連結受け部１３ｅ、さらに天板７の後辺部の長手方向の他側（左側）に後辺部他側用の第２の連結受け部１３ｆが設けられている。
【００３３】
さらに、第３の連結受け部１７は、第１の連結受け部１２に対応して第２のリンク部材１１側で該第１の連結受け部１２の近傍にそれぞれ設けられるものであり、前面板１の長手方向の一側（右側）に前面板一側用の第３の連結受け部１７ａ、前面板１の長手方向の他側（左側）に前面板他側用の第３の連結受け部１７ｂ、左側面板２の長手方向の一側（後側）に左側面板一側用の第３の連結受け部１７ｃ、右側面板３の長手方向の他側（後側）に右側面板一側用の第３の連結受け部１７ｄ、後面板４の長手方向の一側（右側）に後面板一側用の第３の連結受け部１７ｅ、さらに後面板４の長手方向の他側（左側）に後面板他側用の第３の連結受け部１７ｆが設けられている。
【００３４】
次に、本発明のベッドの組み立て方を説明する。はじめに、図６に示すように右側面板３側をヒンジ側として天板７を起こして開く左横開きのベッドの組み立て方を説明する。この場合は前後に一対設けられるリンク機構６のうちの前記リンク機構６の連結部材８を前面板一側用の第１の連結受け部１２ａに第１の固定具８ａを介して固定する。また留め具１６を前面板一側用の第３の連結受け部１７ａに第３の固定具１６ａを介して固定する。さらに、取付け部材９を前辺部一側用の第２の連結受け部１３ａに第２の固定具９ａを介して固定する。そして、留め具１６と第４の連結受け部１９との間にガススプリング１４を介在するものである。
【００３５】
同様に、前後に一対設けられるリンク機構６のうちの後側のリンク機構６の連結部材８を後面板一側用の第１の連結受け部１２ｅに第１の固定具８ａを介して固定する。また留め具１６を後面板一側用の第３の連結受け部１７ｅに第３の固定具１６ａを介して固定する。さらに、取付け部材９を後辺部一側用の第２の連結受け部１３ｅに第２の固定具９ａを介して固定する。そして、留め具１６と第４の連結受け部１９との間にガススプリング１４を介在するものである。
【００３６】
したがって、天板７は前後に配置されたリンク機構６に支持されて起伏自在に設けられる。さらに、天板７はガススプリング１４が伸張時には天板７が起きるように付勢して天板７を開いた状態で支持し、一方天板７はガススプリング１４が縮小時には天板７が伏すように付勢して天板７を閉じた状態を保持する。これは天板７に対する角度が小さくなっており、ガススプリング１４の付勢力が天板７に強く作用せず、それによって天板７は倒伏状態で保持される。
【００３７】
次に図７に示すように左側面板２側をヒンジ側として天板７を起こして開く右横開きのベッドの組み立て方を説明する。この場合は前後に一対設けられるリンク機構６のうちの前記リンク機構６の連結部材８を前面板他側用の第１の連結受け部１２ｂに第１の固定具８ａを介して固定する。また留め具１６を前面板他側用の第３の連結受け部１７ｂに第３の固定具１６ａを介して固定する。さらに、取付け部材９を前辺部他側用の第２の連結受け部１３ｂに第２の固定具９ａを介して固定する。そして、留め具１６と第４の連結受け部１９との間にガススプリング１４を介在するものである。
【００３８】
同様に、前後に一対設けられるリンク機構６のうちの後側のリンク機構６の連結部材８を後面板他側用の第１の連結受け部１２ｆに第１の固定具８ａを介して固定する。また留め具１６を後面板他側用の第３の連結受け部１７ｆに第３の固定具１６ａを介して固定する。さらに、取付け部材９を後辺部他側用の第２の連結受け部１３ｆに第２の固定具９ａを介して固定する。そして、留め具１６と第４の連結受け部１９との間にガススプリング１４を介在するものである。したがって、天板７は前後に配置されたリンク機構６に支持されて起伏自在に設けられる。
【００３９】
一方、図８に示すように前面板１側をヒンジ側として天板７を起こして開く縦開きのベッドの組み立て方を説明する。この場合は左右に一対設けられるリンク機構６のうちの左側リンク機構６の連結部材８を左側面板一側用の第１の連結受け部１２ｃに第１の固定具８ａを介して固定する。また留め具１６を左側面板一側用の第３の連結受け部１７ｃに第３の固定具１６ａを介して固定する。さらに、取付け部材９を左側辺部用の第２の連結受け部１３ｃに第２の固定具９ａを介して固定する。そして留め具１６と第４の連結受け部１９との間にガススプリング１４を介在するものである。
【００４０】
同様に、左右に一対設けられるリンク機構６のうちの右側のリンク機構６の連結部材８を右側面板一側用の第１の連結受け部１２ｄに第１の固定具８ａを介して固定する。また留め具１６を右側面板一側用の第３の連結受け部１７ｄに第３の固定具１６ａを介して固定する。さらに、取付け部材９を右側辺部用の第２の連結受け部１３ｄに第２の固定具９ａを介して固定する。そして、留め具１６と第４の連結受け部１９との間にガススプリング１４を介在するものである。したがって、天板７は左右に配置されたリンク機構６に支持されて起伏自在に設けられる。さらに、天板７はガススプリング１４が伸張時には天板７が起きるように付勢して天板７を開いた状態で支持し、一方天板７はガススプリング１４が縮小時には天板７が伏すように付勢して天板７を閉じた状態を保持する。
【００４１】
以上のように、前記実施例においては四方に配置された前面板１、左右側面板２，３及び後面板４により構成された台枠５と、この台枠５の上面にリンク機構６を介して起伏自在に設けられた天板７とを備え、前記リンク機構６は台枠５に連結させる連結部材８と、前記天板７に連結させる取付け部材９と、前記連結部材８の長手方向一側と前記取付け部材９の長手方向一側とを連結する第１のリンク部材１０と、前記連結部材８の長手方向他側と前記取付け部材９の長手方向他側とを連結する第２のリンク部材１１を備え、かつ前記前面板１、左右側面板２，３及び後面板４に前記連結部材８を選択的に連結する第１の連結受け部１２をそれぞれ設け、第１の連結受け部１２を前面板１、左右側面板２，３及び後面板４のいずれかに固定することで、天板７を左横開き、右横開きさらには縦開きのように予め設けられていた連結受け部１２を利用して簡単に組み立てることができる。
【００４２】
さらに、前記実施例では、前記天板７の前辺部側、左右側辺部側及び後辺部側に前記取付け部材９を選択的に連結する第２の連結受け部１３をそれぞれ設け、取付け部材９を天板７の前辺部側、左右側辺部側及び後辺部側のいずれかに固定することで、天板７を左横開き、右横開きさらには縦開きのように予め設けられていた連結受け部１３を利用して簡単に組み立てることができる。
【００４３】
また、前記台枠５と前記天板７間にガススプリング１４を介在させ、前記前面板１、左右側面板２，３及び後面板４に、前記ガススプリング１４の基端を連結させる留め具１６を選択的に取付ける第３の連結受け部１６をそれぞれ設け、取付け部材９を天板７の前辺部側、左右側辺部側及び後辺部側のいずれかに固定することで、天板７を左横開き、右横開きさらには縦開きのように予め設けられていた連結受け部１６を利用してガススプリング１４を簡単に組み立てることができる。
【産業上の利用可能性】
【００４４】
以上のように本発明に係るベッドは、各種の用途に適用できる。例えば、図１の左横開きか図２に示すように右横開きのみができるようにしてもよい。さらに後面板側をヒンジ側として天板を起こして開く縦開きのベッドの組み立てができるように、第１〜３の連結受け部を予め設けておいてもよい。
【図面の簡単な説明】
【００４５】
【図１】本発明に係わるベッドの一例の左横開きとした場合の分解斜視図である。
【図２】同右横開きとした場合の分解斜視図である。
【図３】同縦開きとした場合の分解斜視図である。
【図４】同リンク機構まわりを示す分解斜視図である。
【図５】同留め具の分解斜視図である。
【図６】同左横開き状態の斜視図である。
【図７】同右横開き状態の斜視図である。
【図８】同縦開き状態の斜視図である。
【符号の説明】
【００４６】
１  前面板
２，３  左右側面板
４  後面板
５  台枠
６  リンク機構
７  天板
８  連結部材
９  取付け部材
１０  第１のリンク部材
１１  第２のリンク部材
１２  第１の連結受け部
１３  第２の連結受け部
１４  ガススプリング
１６  留め具
１９  第３の連結受け部